(57)【要約】【課題】大きさ、コスト及び消費電力の増大させることなく、記録媒体の記録状態をリアルタイムに確認可能とする記録確認システムを提供する。【解決手段】映像記録装置は、撮像手段によって撮像された映像信号を低圧縮率で圧縮し、第１の符号化データを生成する第１の符号化手段（１０３）と、第１の符号化データを記録媒体に記録する記録手段（１０４）と、第１の符号化データから所定の規則に従い選択して部分符号化データを生成する再生手段（１０６）と、撮像された映像信号を高圧縮で圧縮し第２の符号化データを生成する第２の符号化手段（１０７）と、部分符号化データと第２の符号化データとを多重化して送信する送信手段（１０８）と、送信された部分符号化データと第２の符号化データを比較した比較結果を受信する受信手段（１０９）と、比較結果を出力する通知手段（１１０）とを備える。【選択図】図１
2008312005.tif 000002
【特許請求の範囲】
【請求項１】
映像を撮影する撮像手段と
前記撮像手段によって撮像された映像信号を第１の圧縮率で圧縮し、第１の符号化データを生成する第１の符号化手段と、
前記第１の符号化データを記録媒体に記録する記録手段と、
前記記録媒体から第１の符号化データを読み出し、所定の規則に従って一部を選択して部分符号化データを生成する再生手段と、
前記撮像手段によって撮像された映像信号を前記第１の圧縮率よりも高い第２の圧縮率で圧縮し、第２の符号化データを生成する第２の符号化手段と、
前記再生手段によって生成された部分符号化データと、前記第２の符号化手段によって生成された第２の符号化データとを多重化して送信する送信手段と、
前記送信手段によって送信された、前記部分符号化データと前記第２の符号化データを比較した比較結果を受信する受信手段と、
前記比較結果を出力する通知手段と
を備えた映像記録装置。
【請求項２】
前記第１の符号化手段において前記第１の圧縮率が１であることを特徴とする請求項１に記載の映像記録装置。
【請求項３】
前記再生手段は、前記第１の符号化データから、記録開始フレームの映像信号を含む符号化データを選択することを特徴とする請求項１に記載の映像記録装置。
【請求項４】
前記再生手段は、前記第１の符号化データから、記録終了フレームの映像信号を含む符号化データを選択することを特徴とする請求項１に記載の映像記録装置。
【請求項５】
前記再生手段は、前記第１の符号化データから、所定の間隔で記録フレームの映像信号を含む符号化データを選択することを特徴とする請求項１に記載の映像記録装置。
【請求項６】
前記再生手段は、前記第１の符号化データから、記録フレームの映像信号の一部分を含む符号化データを選択することを特徴とする請求項１に記載の映像記録装置。
【請求項７】
複数の記録媒体への連続した記録が可能である場合に、前記再生手段は、前記第１の符号化データから、前記記録媒体の切り替え直後の記録フレームの映像信号を含む符号化データを選択することを特徴とする請求項１に記載の映像記録装置。
【請求項８】
複数の記録媒体への連続した記録が可能である場合に、前記再生手段は、前記第１の符号化データから、前記記録媒体の切り替え直前の記録フレームの映像信号を含む符号化データを選択することを特徴とする請求項１に記載の映像記録装置。
【請求項９】
前記送信手段は、前記第２の符号化データ及び／または前記部分符号化データの付属情報をさらに送信することを特徴とする請求項１に記載の映像記録装置。
【請求項１０】
前記送信手段は、通信帯域のうち前記第２の符号化データの送信に用いる帯域以外の帯域を前記部分符号化データの送信に割り当てることを特徴とする請求項１に記載の映像記録装置。
【請求項１１】
前記通知手段は、前記映像記録装置に付属するビューファインダ、あるいは、液晶モニタに比較結果を表示することを特徴とする請求項１に記載の映像記録装置。
【請求項１２】
前記通知手段は、前記映像記録装置を振動させる振動体を含むことを特徴とする請求項１に記載の映像記録装置。
【請求項１３】
前記通知手段は、前記映像記録装置に付属する音声モニタ出力を介して比較結果を通知することを特徴とする請求項１に記載の映像記録装置。
【請求項１４】
伝送帯域の一部の帯域を用いて第１の符号化データと第２の符号化データを受信する受信手段と、
前記受信手段によって受信された前記第１の符号化データを伸張し、第１の映像信号を生成する第１の復号化手段と、
前記受信手段によって受信された前記第２の符号化データを伸張し、第２の映像信号を生成する第２の復号化手段と、
前記第１の映像信号と前記第２の映像信号を比較する比較手段と、
前記比較手段の比較結果を送信する送信手段と
を備えた記録確認装置。
【請求項１５】
前記比較手段は、前記第１の映像信号と前記第２の映像信号において同一時刻のフレームの映像信号どうしを比較することを特徴とする請求項１４に記載の記録確認装置。
【請求項１６】
前記比較手段は、前記第１の映像信号と前記第２の映像信号において所定時間差内のフレームの映像信号どうしを比較することを特徴とする請求項１４に記載の記録確認装置。
【請求項１７】
前記送信手段は、前記伝送帯域の中の前記第１の符号化データと前記第２の符号化データの送信に用いた帯域以外の帯域を前記比較結果の送信に割り当てることを特徴とする請求項１４に記載の記録確認装置。
【請求項１８】
撮影した映像の記録状態を確認する記録確認システムであって、
映像を記録する映像記録装置と、記録した映像の記録状態を確認する記録確認装置とを含み、
ａ）前記映像記録装置は、
映像を撮影する撮像手段と
前記撮像手段によって撮像された映像信号を第１の圧縮率で圧縮し、第１の符号化データを生成する第１の符号化手段と、
前記第１の符号化データを記録媒体に記録する記録手段と、
前記記録媒体から第１の符号化データを読み出し、所定の規則に従って一部を選択して部分符号化データを生成する再生手段と、
前記撮像手段によって撮像された映像信号を前記第１の圧縮率よりも高い第２の圧縮率で圧縮し、第２の符号化データを生成する第２の符号化手段と、
前記再生手段によって生成された部分符号化データと、前記第２の符号化手段によって生成された第２の符号化データとを多重化して送信する送信手段と、
前記送信手段によって送信された、前記部分符号化データと前記第２の符号化データを比較した比較結果を受信する受信手段と、
前記比較結果を出力する通知手段とを備え、
ｂ）前記記録確認装置は、
伝送帯域の一部の帯域を用いて第１の符号化データと第２の符号化データを受信する受信手段と、
前記受信手段によって受信された前記第１の符号化データを伸張し、第１の映像信号を生成する第１の復号化手段と、
前記受信手段によって受信された前記第２の符号化データを伸張し、第２の映像信号を生成する第２の復号化手段と、
前記第１の映像信号と前記第２の映像信号を比較する比較手段と、
前記比較手段の比較結果を送信する送信手段とを備える、
記録確認システム。
【発明の詳細な説明】
【技術分野】
【０００１】
本発明は、映像を記録する映像記録装置、及び映像記録装置により記録された映像を確認可能とする記録確認システムに関する。
【背景技術】
【０００２】
従来、記録媒体としてビデオテープを利用したビデオカメラは、映像を記録ヘッドでビデオテープに記録すると同時に、同時再生ヘッドを用いて記録された直後の映像を再生してビデオテープ上の素材が正しく記録されているかを確認できる機能を有する。
【０００３】
素材の記録終了後に、機器を再生モードに切り替えて記録した素材の一部分を再生してビデオテープ上の素材が正しく記録されているかを確認していた。特に、放送業務用分野において、収録事故は非常に大きな問題になる。
【０００４】
近年、記録媒体としてランダムアクセス可能な光ディスク、ハードディスク、半導体メモリなどが用いられるようになったが、ビデオテープと同様の記録確認方法が取られている。
【０００５】
【特許文献１】特開昭５８−５４７９１号公報
【特許文献２】特開平３−２８８３７７号公報
【発明の開示】
【発明が解決しようとする課題】
【０００６】
従来の映像記録装置においては、映像を記録ヘッドでビデオテープに記録すると同時に、同時再生ヘッドを用いて記録された直後の映像を再生する（特許文献１、２等参照）。このため、映像信号の記録処理回路に加えて、再生処理回路も搭載しなければならず回路規模、コスト、および、消費電力の増大を招いていた。ビデオカメラはポータブル機器であるため、特に機器の大きさ、および、消費電力の増大は商品価値として大きなデメリットとなる。
【０００７】
また、素材の記録終了後に、機器を再生モードに切り替えて記録した素材の一部分を再生してビデオテープ上の素材が正しく記録されているかを確認する方法では、記録状態の確認のために動作モードを切り替える必要があることから、連続して記録する必要がある場合には適用できないという問題があった。
【０００８】
記録媒体としてランダムアクセス可能な光ディスク、ハードディスク、半導体メモリなどが用いられるビデオカメラでも同様の問題があった。
【０００９】
本発明は、上述の課題を解決すべくなされたものであり、その目的とするところは、機器の大きさ、コスト、および、消費電力を増大させることなく、記録媒体への素材の記録状態をリアルタイムに確認可能とする映像記録装置および記録確認システムを提供することにある。
【課題を解決するための手段】
【００１０】
本発明に係る記録確認システムは、撮影した映像の記録状態を確認する記録確認システムであって、映像を記録する映像記録装置と、記録した映像の記録状態を確認する記録確認装置とを含む。
【００１１】
映像記録装置は、映像を撮影する撮像手段と、撮像手段によって撮像された映像信号を第１の圧縮率で圧縮し、第１の符号化データを生成する第１の符号化手段と、第１の符号化データを記録媒体に記録する記録手段と、記録媒体から第１の符号化データを読み出し、所定の規則に従って一部を選択して部分符号化データを生成する再生手段と、撮像手段によって撮像された映像信号を前記第１の圧縮率よりも高い第２の圧縮率で圧縮し、第２の符号化データを生成する第２の符号化手段と、再生手段によって生成された部分符号化データと、前記第２の符号化手段によって生成された第２の符号化データとを多重化して送信する送信手段と、送信手段によって送信された部分符号化データと第２の符号化データを比較した比較結果を受信する受信手段と、比較結果を出力する通知手段とを備える。
【００１２】
記録確認装置は、伝送帯域の一部の帯域を用いて第１の符号化データと第２の符号化データを受信する受信手段と、受信手段によって受信された第１の符号化データを伸張し、第１の映像信号を生成する第１の復号化手段と、受信手段によって受信された第２の符号化データを伸張し、第２の映像信号を生成する第２の復号化手段と、第１の映像信号と第２の映像信号を比較する比較手段と、比較手段の比較結果を送信する送信手段とを備える。
【発明の効果】
【００１３】
本発明によれば、機器の大きさ、コスト、および、消費電力を増大させることなく、記録媒体への素材の記録状態をリアルタイムに確認可能とする記録確認システムを提供できる。
【発明を実施するための最良の形態】
【００１４】
以下、添付の図面を参照して本発明の実施形態を説明する。
【００１５】
１．記録確認システムの構成
図１に本発明の記録確認システムの構成を示す。記録確認システムは、映像を記録する映像記録装置１０１と、記録した映像の記録状態を確認する記録確認装置１２０とで構成される。
【００１６】
１．１  映像記録装置
映像記録装置１０１は、撮像部１０２と、低圧縮符号化部１０３と、記録部１０４と、記録媒体１０５と、再生部１０６と、高圧縮符号化部１０７と、送信部１０８と、受信部１０９と、通知部１１０とで構成される。
【００１７】
撮像部１０２は被写体を撮影し、被写体の光学情報を映像信号に変換する。低圧縮符号化部１０３は、撮像部１０２によって生成された映像信号を、比較的低い圧縮率で所定の符号化アルゴリズムにしたがい符号化し、低圧縮符号化データを生成する。すなわち、低圧縮符号化データは本編素材として使用するための高画質の画像を提供する。
【００１８】
記録部１０４は、低圧縮符号化部１０３によって生成された低圧縮符号化データを本編素材として記録媒体１０５に記録する。
【００１９】
記録媒体１０５は、ＤＶＤ（Digital Versatile Disk）のような光ディスク、ＨＤＤ（Hard Disk Drive）のような磁気ディスク、あるいは、ＳＤカードやＰ２カードのような半導体メモリである。従来使用されていたビデオテープのようなシーケンシャルアクセスの媒体でもよいが、ランダムアクセス可能な媒体のほうが好ましい。なお、映像記録装置１０１は、記録媒体１０５として複数の異なる記録媒体を実装可能であり、その場合、記録媒体を切替ながら複数の記録媒体に亘り連続した記録が可能である。
【００２０】
再生部１０６は、記録媒体１０５に記録された低圧縮符号化データを所定の方法で選択して（間引いて）再生し、部分的な本編素材（以下「部分本編素材」という。）を生成する。
【００２１】
高圧縮符号化部１０７は、撮像部１０２によって撮像された映像信号を低圧縮符号化部１０３の圧縮率よりも高い圧縮率で所定の符号化アルゴリズムにしたがい符号化し、高圧縮符号化データを生成する。高圧縮符号化データは粗編集用のデータ（以下「低解像度素材」という。）として使用される。
【００２２】
送信部１０８は、再生部１０６によって生成された部分本編素材と高圧縮符号化部１０７によって生成された粗編集用の低解像度素材を多重化して記録確認装置１２０に送信する。送信部１０８は、無線ＬＡＮ、公衆回線、専用の通信回線等の通信媒体を介して記録確認装置１２０にデータを送信する。
【００２３】
受信部１０９は、記録確認装置１２０から送信された映像比較信号（後述）を受信する。通知部１１０は、受信部１０９によって受信された映像比較信号を映像、音声出力によりカメラマン等の操作者に通知する。
【００２４】
また、映像記録装置１０１は、映像の記録動作の開始を指示する記録開始ボタンと記録動作の停止を指示する記録終了ボタンを有する。
【００２５】
１．２  記録確認装置
記録確認装置１２０は、受信部１１２と、低圧縮復号化部１１３と、高圧縮復号化部１１４と、映像比較部１１５と、送信部１１６とで構成される。
【００２６】
受信部１１２は、映像記録装置１０１の送信部１０８から送信された部分本編素材と粗編集用の低解像度素材の両データを受信し、これらのデータを分離して出力する。
【００２７】
低圧縮復号化部１１３は、受信部１１２によって分離された部分本編素材、すなわち、部分低圧縮符号化データを、映像記録装置１０１の低圧縮符号化部１０３の符号化アルゴリズムに対応する復号化アルゴリズムにより復号して、部分高解像度映像信号を生成する。
【００２８】
高圧縮復号化部１１４は、受信部１１２によって分離された粗編集用の低解像度素材、すなわち、高圧縮符号化データを、映像記録装置１０１の高圧縮符号化部１０７の符号化アルゴリズムに対応する復号化アルゴリズムにより復号化して、低解像度映像信号を生成する。
【００２９】
映像比較部１１５は、低圧縮復号化部１１３によって復号された部分高解像度映像信号と、高圧縮復号化部１１４によって復号された低解像度映像信号とを所定の方法で比較し、その比較結果を映像比較信号として出力する。
【００３０】
送信部１１６は、映像比較部１１５によって得られた映像比較信号を映像記録装置１０１に送信する。その際、送信部１０８と同じ通信媒体を使用しても良いし、別の通信媒体を使用しても良い。
【００３１】
２．記録確認システムの動作
図１に示す記録確認システムの動作について説明する。映像記録装置１０１はカメラマン等が携帯して使用し、記録確認装置１２０は放送局等に配置されて使用される。
【００３２】
カメラマンは、放送局から離れた取材地に赴き、映像記録装置１０１を用いて取材（画像記録）を行う。ニュース番組などで放送するための本編素材は、視聴者を満足させるためにできるだけ高画質、すなわち、低圧縮率で符号化しなければならない。
【００３３】
撮像部１０２によって撮像された映像信号は、低圧縮符号化部１０３によって低圧縮率でデータ圧縮され、記録部１０４を介して記録媒体１０５に記録する。この本編素材が記録された記録媒体１０５は、取材が終了した後、カメラマンにより放送局に持ち帰られ、本編集された後にニュース番組などで放送される。
【００３４】
本編素材が記録された記録媒体１０５が放送局に持ち帰られるまでに、放送局内の編集者は、粗編集を行うために、本編素材を収録すると同時にリアルタイムで低解像度素材が作成され放送局に送信される。一般的に、低解像度素材は伝送帯域の低い無線ＬＡＮと公衆回線などの通信媒体を利用して送信するため、できるだけ高圧縮率で符号化しなければならない。
【００３５】
撮像部１０２によって撮像された映像信号は、高圧縮符号化部１０７によって高圧縮率でデータ圧縮され、高圧縮符号化データを得る。この高圧縮符号化データは、送信部１０８によって放送局にむけて送信される。この高圧縮率でデータ圧縮された低解像度素材を用いて、放送局内に滞在する編集者が直ちに粗編集を済ませておくことができる。これにより、カメラマンが本編素材の記録された記録媒体１０５を放送局に持ち帰ってから本編集を完了するまでの作業時間を大幅に短縮できる。
【００３６】
本実施形態の映像記録装置１０１は、記録媒体１０５に記録された本編素材が正常に記録されているか否かの確認を可能とするために、本編素材が記録部１０４を介して記録媒体１０５に記録された直後に再生部１０６により再生された本編素材を、粗編集用の低解像度素材とともに、送信部１０８により放送局内の記録確認装置１２０へ送信する。
【００３７】
記録媒体１０５はランダムアクセス可能な媒体であるため、本編素材を記録した直後に再生することは比較的容易である。映像記録装置１０１は、放送業務用の機器なので、本編素材を記録媒体１０５に記録することは、何にもまして優先されなければならない。そのため、記録媒体１０５の全体のアクセスレートのうち、記録部１０４による記録レートを優先的に確保し、残ったレートを再生部１０６による再生のために利用しなければならない。このため、記録媒体１０５に記録された本編素材のすべてを再生できない可能性がある。あるいは、機器全体の消費電力を抑えるために全体のアクセスレートを下げたため、記録媒体１０５に記録された本編素材のすべてを再生できないかもしれない。
【００３８】
また、本編素材は、低圧縮率でデータ圧縮されているためデータ量が多く、伝送帯域の低い無線ＬＡＮと公衆回線など通信媒体ですべての本編素材を放送局に向けて送信することは困難である。そのため本実施形態では、本編素材の一部分を選択して再生している。
【００３９】
図２は、粗編集用の低解像度素材と部分本編素材とが伝送チャンネルにおいて多重化されて伝送される状態を説明した図である。伝送チャンネル２００は無線ＬＡＮや公衆回線等の通信媒体である。同図に描画された伝送チャンネル２００の幅は伝送帯域の大きさに対応する。伝送チャンネル２００は低解像度素材を送信する伝送帯域Ｂ１を含む。伝送チャンネル２００の全帯域Ｂから伝送帯域Ｂ１を除いた残りの伝送帯域Ｂ２に、部分本編素材を送信する。同図において１フレーム分の符号化データを表す矩形の面積はフレームのデータ量に対応し、矩形中の数字はフレーム番号を表している。低解像度素材は、１フレーム分のデータ量は小さいが、編集者が放送局で粗編集を行うため、すべてのフレームが送信される必要がある。このため、低解像度素材を伝送する伝送帯域Ｂ１は伝送チャンネル２００の伝送帯域Ｂの大部分を占める。
【００４０】
低圧縮符号化部１０３により生成される本編素材は、低圧縮率でデータ圧縮されているためデータ量が多い上、その伝送に、低解像度素材を送信する伝送帯域Ｂ１以外の残りの伝送帯域Ｂ２を使用しなければならない。そこで、記録媒体１０５に記録された本編素材を再生するときに、再生部１０６は３０フレーム毎に１フレームの割合で符号化データを部分本編素材として選択して（間引いて）再生する。
【００４１】
以上述べたように、本実施形態では、送信部１０８によって粗編集用の低解像度素材と、高画質な部分本編素材とが多重化されて放送局へ送信される。なお、送信部１０８からは、部分本編素材と低解像度素材に加えて、これらの映像信号の付属情報（タイムコード等）が送信されてもよい。
【００４２】
一方、放送局では受信した粗編集用の低解像度素材と部分本編素材のうち、低解像度素材を利用して編集者が粗編集を行う。これと同時に、放送局に配置された記録確認装置１２０において、低解像度素材と部分本編素材を比較することにより、映像記録装置１０１の記録媒体１０５に記録された本編素材の記録状態の確認が行われる。
【００４３】
映像記録装置１０１によって多重化され、送信された低解像度素材と部分本編素材のデータは、記録確認装置１２０の受信部１１２によって受信される。これらは図２に示すように同じ通信媒体中で多重化されて送信された後、記録確認装置１２０の受信部１１２において受信され、低解像度素材と部分本編素材とに分離されて出力される。
【００４４】
部分本編素材は低圧縮復号化部１１３によって復号され、部分本編映像信号が得られる。同様に、低解像度素材は高圧縮復号化部１１４によって復号化され、低解像度映像信号が得られる。これらの部分本編映像信号と低解像度映像信号は映像比較部１１５によって比較される。
【００４５】
図３を参照し、映像比較部１１５における部分本編映像信号と低解像度映像信号の比較動作を説明する。
【００４６】
同図において１フレーム分の映像信号を表す矩形の大きさは画像のサイズ、すなわち、画素数を表すものとする。図３(ａ)に示す低解像度映像信号は、低解像度であるため１フレーム分の画素数が少ない。一方、図３(ｂ)に示す部分本編映像信号は、高解像度であるため１フレーム分の画素数が多い。映像記録装置１０１によって本編素材を３０フレームごとに１つ選択するようにしたので、この部分本編映像信号のフレーム番号は、０、３０、…というように離散的な値となる。映像比較部１１５は、部分本編映像信号のフレーム番号と同じフレーム番号を有する低解像度映像信号を選択し、対応する部分本編映像信号との比較を行う。
【００４７】
比較の方法として画像のパターンマッチング技術を利用する。画像のパターンマッチング技術は公知技術であるので簡単に説明する。例えば、部分本編映像信号の画素数を低解像度映像信号の画素数にダウンコンバートした後に、２つの映像信号の画素ごとの差分の累積平均を算出し、その値が所定値以下であれば「一致」と判断する。または、部分本編映像信号と低解像度映像信号をそれぞれフーリエ変換した後に周波数軸上で比較し、その差分が所定値以下ならば「一致」と判断する。
【００４８】
また、映像記録装置１０１の電気回路上でフリップフロップのラッチミスなどでノイズが発生した場合等は、部分本編映像信号だけを用いて、ある画素とその隣接画素の差分、もしくは、フーリエ変換後の周波数軸上の特性から、ノイズの状態を類推することにより画像の記録状態の良否を判断することが可能となる。
【００４９】
例えば、映像記録装置１０１における本編素材の記録／再生系の動作（すなわち、低圧縮符号化部１０３、記録部１０４、記録媒体１０５、および、再生部１０６の一連の動作）と、低解像度素材の生成動作（すなわち、高圧縮符号化部１０７の動作）の少なくともいずれか一方に異常が発生した場合、部分本編映像信号または低解像度映像信号にノイズが混入する。その結果、映像比較部１１５は「不一致」と判断するため、映像記録装置１０１の動作異常が検出できる。
【００５０】
以上のようにして得られた比較結果は、送信部１１６によって、映像記録装置１０１に送信される。この比較結果のデータ量は、非常に小さく、一致／不一致の判定結果とそれに対応するフレーム番号とから構成される。この比較結果を送信するための通信媒体は、送信部１０８で使用したものと同じものでもよいし、別の通信媒体を用いてもよい。
【００５１】
再び、取材地の映像記録装置１０１では、受信部１０９によって受信された比較結果をもとに、通知部１１０によって記録状態をカメラマンに通知する。通知部１１０が例えばカメラのビューファインダである場合、図４に示すように、記録状態として「フレーム番号：３０  異常あり」と表示されるので、カメラマンは記録中に機器の異常に気づき、予備のカメラに切り替えて取材を続けることにより、収録事故を未然に防ぐという効果がある。
【００５２】
以上のように、本実施形態の記録確認システムによれば、映像記録装置側から、粗編集用の低画質の低解像度素材と高画質ではあるが一部を間引いた映像である部分本編素材とを出力し、記録確認装置において両データを比較することで、記録媒体への記録状態を確認できる。この構成によれば、記録状態の確認のために記録装置において別途再生処理等を搭載する必要がないことから、回路規模、コスト、消費電力等の増大を招かない。
【００５３】
３．変形例
上述した実施形態では、説明の容易化のため映像記録装置および記録確認システムは、映像のみ記録・再生し記録確認するものとしたが、音声やその他のデータも同時に記録・再生し記録確認をするとしてもよい。
【００５４】
また、上述の実施形態では、記録確認装置１２０は放送局等に配置されるものであるとしたが、本発明の記録確認装置の設置場所は、放送局等に限定されない。カメラマンが携帯する映像記録装置１０１と空間的に離れた場所であっても良い。記録確認装置１２０は安定した電源供給を受けられる場所にあれば、映像記録装置１０１のバッテリの消費をほとんど増大させることなく、記録媒体１０５に記録された本編素材の記録確認を行える。また、記録確認装置１２０が、粗編集用の低解像度素材を受信する放送局と離れた場所にあったとしても、マルチキャスト等の通信形態を用いれば映像記録装置１０１における送信部１０８は同じ低解像度素材を、記録確認装置と放送局のそれぞれに向けて２度送信する必要はなく容易に送信することができる。
【００５５】
また、上述した実施形態では、本編素材は低圧縮符号化部１０３によって低圧縮率でデータ圧縮するとしたが、高画質を維持するために非圧縮としてもよい。
【００５６】
また、上述した実施形態では、低解像度素材はすべてのフレームのデータを含むとしたが、一部のフレームのデータのみを含むようにしてもよい。たとえば、撮影した映像信号の２フレームのうち１フレームは送信しないとしてもよい。ただし、この場合、再生部１０６において本編素材を選択する方法として、低解像度素材に含まれるフレームと同じフレーム番号を含むように選択することが好ましい。
【００５７】
また、上述した実施形態では、低解像度画像との比較に用いる部分本編素材を作成するために再生部１０６で再生するときに３０フレームごとに１フレームの符号化データを選択して再生するとしたが、これに限定されるものではない。例えば、下記のように、特別なイベントが発生したときに生成されるフレームの符号化データを部分本編素材用として選択してもよい。イベント発生時に何らかの障害が発生する可能性があるからである。
（１）映像記録装置１０１の記録開始ボタンが押下された直後に生成されるフレーム、すなわち記録開始フレームの映像信号を含む符号化データ。
（２）記録終了ボタンが押下される直前のフレーム、すなわち記録終了フレームの映像信号を含む符号化データ。
（３）記録フレームの映像信号のある一部分のデータを含む符号化データ（例えば、重要な画像が含まれる可能性のある領域のデータを含む符号化データ。具体的には、図５に示すように全体画像の中央領域Ｒのデータを含む符号化データ）。
（４）記録媒体１０５として複数の記録媒体を利用し、複数の記録媒体を切替えながら連続した記録が可能な場合において、記録媒体の切り替え直前に生成されたフレームの映像信号を含む符号化データ。
（５）記録媒体１０５として複数の記録媒体を利用し、複数の記録媒体を切替えながら連続した記録が可能な場合において、記録媒体の切り替え直後に生成されたフレームの映像信号を含む符号化データ。
（６）符号化データが記録されるファイルが切替る直前／直後に生成されたフレームの映像信号を含む符号化データ。
（７）上記（１）から（６）の任意の組み合わせ。
【００５８】
また、上述した実施形態では、映像記録装置１０１において、本編素材を記録媒体１０５に記録した直後に再生部１０６によって選択・再生するとしたが、低圧縮符号化部１０３によって低圧縮率でデータ圧縮された本編素材を直接選択して送信するとしてもよい。ただし、この場合は低圧縮符号化部１０３のみの動作確認となり、記録部１０４、記録媒体１０５、および、再生部１０６の動作確認は行うことができないので、実施例１のように本編素材を記録媒体１０５に記録した直後に再生部１０６によって選択・再生するとしたほうが好ましい。
【００５９】
また、図２において、低解像度素材のフレーム番号０のフレームの開始タイミングと、部分本編素材のフレーム番号０の開始タイミングとが同期しているように表されている。しかしながら、通信媒体上でこれらのタイミングが同期している必要はない。たとえば、所定時間だけずれていても良いし、さらに複数のパケットに分割されて多重化されてもよい。要するに、記録確認装置１２０の受信部１１２によって受信されたときに、所定時間内に、元の低解像度素材と部分本編素材に分離され、出力され得るように、低解像度素材のデータと部分本編素材のデータとが多重化されていればよい。
【００６０】
また、上述した実施形態では、映像比較部１１５における比較方法として部分本編映像信号と低解像度映像信号の中から同じフレーム番号（すなわち、同一記録時刻）を有するものを比較するとしたが、同じフレーム番号に限定するものではない。たとえば、同じフレーム番号のものが存在しない場合は、ある一定時間差以内の隣接するフレーム番号のものと比較してもよい。
【００６１】
また、上述した実施形態では、比較結果として送信される情報には、部分本編映像信号と低解像度映像信号の一致／不一致の判定結果と、それに対応するフレーム番号とが含まれたが、さらに、これらの映像信号の付属情報（タイムコード等）も含めてもよい。たとえば、本編映像信号のファイル名や収録開始時刻などを含めてもよい。
【００６２】
また、上述した実施形態では、比較結果の通知部１１０として、カメラのビューファインダを用いたが、それに限定されるものではない。たとえば、映像記録装置１０１に付随する液晶モニタや音声モニタ出力を介して映像や音声で比較結果を通知してもよい。または、通知部１１０はカメラマンの体に接触する部分に配置された振動体を含み、それを振動させることにより通知するようにしてもよい。または、映像記録装置１０１における受信部１０９と通知部１１０は、携帯電話のような映像記録装置１０１とは別の装置であってもよい。
【００６３】
また、図６に示すように、伝送チャンネル２００において、伝送帯域Ｂにおいて低解像度素材を送信する伝送帯域Ｂ１と部分本編素材を送信する伝送帯域Ｂ２とを確保し、残りの帯域Ｂ３において映像比較信号を送信するようにしてもよい。
【産業上の利用可能性】
【００６４】
本発明は、メモリや光ディスクあるいはハードディスクといった非同期の記録メディアに対して映像信号を記録する映像記録装置および記録確認システムに対して広く適用できる。
【図面の簡単な説明】
【００６５】
【図１】本発明の記録確認システムの構成を示すブロック図
【図２】低解像度素材と部分本編素材の多重化送信を説明した図
【図３】低解像度映像信号と部分本編映像信号との比較方法を説明するための図
【図４】映像記録装置のビューファインダ上に表示された異常を示す表示の例を示す図
【図５】部分本編素材用のフレームとして選択されるフレームの一部分を説明した図
【図６】低解像度素材と部分本編素材と比較結果の多重化送信を説明した図
【符号の説明】
【００６６】
１０１    映像記録装置
１０２    撮像部
１０３    低圧縮符号化部
１０４    記録部
１０５    記録媒体
１０６    再生部
１０７    高圧縮符号化部
１０８    送信部
１０９    受信部
１１０    通知部
１１２    受信部
１１３    低圧縮復号化部
１１４    高圧縮復号化部
１１５    映像比較部
１１６    送信部
１２０    記録確認装置
【図１】
2008312005.tif 000003
【図２】
2008312005.tif 000004
【図３】
2008312005.tif 000005
【図４】
2008312005.tif 000006
【図５】
2008312005.tif 000007
【図６】
2008312005.tif 000008